(57)【要約】【課題】小型化し易く、また、内部に流動性物質が滞留したり残留し難い逆止弁と、これを用いた３方弁及び流動性物質移送具とを提供する。【解決手段】  中空の収容室１５、収容室１５の一方に開設された流入口１７、及び、収容室１５の他方に開設された流出口１９を備えた弁体ケース１１と、収容室１５内の流入口１７と流出口１９との間に移動可能に収容された弁体移動子１３とを備え、流動性物質を前記流入口１７側から流出口１９側へ流動させる逆止弁１０であり、弁体移動子１３には、流入口１７側の表面４３と流出口１９側の表面４４とを連通する貫通流路１４が設けられ、収容室１５の流入口１７側の内壁面には、弁体移動子１３の貫通流路１４に密着状態で当接可能な閉塞面３１が設けられ、弁体移動子１３の流入口１７側の表面４３が収容室１５の閉塞面３１に当接することで、貫通流路１４が閉塞される。【選択図】  図１
2009281492.tif 000002
【特許請求の範囲】
【請求項１】
中空の収容室と、前記収容室の一方に開設された流入口と、前記収容室の他方に開設された流出口とを備えた弁体ケースと、前記収容室内の前記流入口と前記流出口との間に移動可能に収容された弁体移動子とを備え、前記流入口側から前記流出口側への一方向のみの流動性物質の流動を許容する逆止弁であり、
前記弁体移動子には、前記流入口側の表面と前記流出口側の表面とを連通する貫通流路が設けられ、
前記収容室の前記流入口側の内壁面には、前記弁体移動子の前記貫通流路に密着状態で当接可能な閉塞面が設けられ、
前記弁体移動子の前記流入口側の表面が前記収容室の前記閉塞面に当接することで、前記貫通流路が閉塞されることを特徴とする逆止弁。
【請求項２】
前記弁体移動子は板状体からなり、前記収容室の内壁面には前記板状体の周縁が摺動可能な側周面を備え、前記弁体移動子が前記側周面に案内されて移動可能であることを特徴とする請求項１に記載の逆止弁。
【請求項３】
前記閉塞面は、前記収容室の前記流入口側の内壁面の端部に平面に形成され、前記流入口は前記収容室の端部の中央に開設されていることを特徴とする請求項１又は２に記載の逆止弁。
【請求項４】
前記貫通流路は、前記弁体移動子の移動方向に対して傾斜して設けられていることを特徴とする請求項１乃至３の何れか一つに記載の逆止弁。
【請求項５】
前記貫通流路を複数有し、前記各貫通流路は、前記弁体移動子の移動方向に平行な中心軸回りに、同一方向に傾斜していることを特徴とする請求項４に記載の逆止弁。
【請求項６】
前記収容室の前記流出口側には、前記弁体移動子の前記流出側の表面が当接可能な段差部と、該段差部と前記流出口との間に前記流動性物質が流動可能に形成された流動空間とを備え、
前記弁体移動子が前記段差部に当接した状態で、前記貫通流路が前記流動空間と連通することを特徴とする請求項１乃至５の何れか一つに記載の逆止弁。
【請求項７】
３つの分岐流路が１箇所の合流部で合流する三方弁であり、
前記３つの分岐流路のうちの２つの分岐流路に請求項１乃至６の何れか一つに記載の逆止弁をそれぞれ備え、前記２つの分岐流路のうちの一方には、前記逆止弁の前記流出口が前記合流部側に配置され、前記２つの分岐流路のうちの他方には、前記逆止弁の前記流入口が前記合流部側に配置されていることを特徴とする三方弁。
【請求項８】
請求項７に記載の三方弁を備え、前記３つの分岐流路のうち、前記逆止弁が設けられていない前記分岐流路に加圧減圧手段が接続されていることを特徴とする流動性物質移送具。
【請求項９】
前記流動性物質は、栄養組成物であることを特徴とする請求項８に記載の流動性物質移送具。
【発明の詳細な説明】
【技術分野】
【０００１】
この発明は、流入口側から流出口側への流動性物質の流動を許容し、逆流を阻止するための逆止弁と、この逆止弁を備えた三方弁と、この三方弁を備えた流動性物質移送具とに関する。
【背景技術】
【０００２】
従来、種々の剤形の栄養組成物等の流動性物質を、患者に留置したカテーテルを利用して投与するには、各種の収容容器に収容されている流動性物質を一旦シリンジに取り出し、シリンジからカテーテルの投与部位に排出して投与している。
【０００３】
投与作業は、まず、シリンジの吐出口を収容容器に接続し、シリンジ内に流動性物質を吸引して収容し、次いで、シリンジの吐出口を収容容器から離脱させて投与部位に接続し、その後、シリンジから投与部位に排出することで行う。投与量が多い場合には、この投与作業を複数回繰り返す。
【０００４】
このような投与作業では、繰り返しシリンジの接続や離脱を行わなければならず、手間を要する。
【０００５】
下記特許文献１には、患者に留置したカテーテルを利用して薬液を投与するための薬液供給装置が提案されている。
【０００６】
この薬液供給装置は、薬液を収容した容体と、容体に連結された流量調節手段と、流量調節手段に連結された三方向コネクタと、三方向コネクタの一方に連結されたシリンジと、三方向コネクタの他方に連結された逆止弁とを備えて構成されている。逆止弁は、一般に、流路と連通する弁座開口と、弁座開口に当接して閉塞可能な弁体と、弁体を弁座開口に密着させるように付勢する付勢手段とを備え、一方向きに圧力が負荷されると付勢力に抗して弁体が移動して弁座開口が開放され、反対向きに圧力が負荷されると閉塞されるように構成されている。
【０００７】
このような薬液供給装置を用いて、容体内の薬液をシリンジに収容するには、シリンジのプランジャを引き上げて減圧すれば、三方向コネクタの一方側の逆止弁が閉塞され、他方側の容体からシリンジ内に薬液を収容できる。その後、シリンジのプランジャを押圧して加圧すれば、流量調節手段の流動抵抗が大きいため、薬液は三方向コネクタの容体側に流出せず、逆止弁が開放されて投与位置に排出できる。
【特許文献１】特開平１０−１９２３９５号公報
【発明の開示】
【発明が解決しようとする課題】
【０００８】
しかしながら、このような薬液供給装置などに用いられる逆止弁では、弁体の付勢手段や、弁体や付勢手段を支持する構造などが必要であり、内部の接液部分が複雑な形状になり易くて凹凸形状が形成され易い。そのため、小型化し難く、また、流動性物質の移送中或いは移送後に流動性物質が内部に滞留したり残留し易かった。
【０００９】
また、逆止弁と流量調節手段を組み合わせた構成では、薬液を吸引する際に流量調節手段の流動抵抗を小さくし、薬液を排出する際に流量調節手段の流動抵抗を大きくするとすれば、吸引排出する度に、流量調節手段を調整する必要があり移送作業に手間を要する。流量調節手段の流動抵抗を常に大きくして一定にするとすれば、薬液を吸引する際の流量が少なくなり、吸引操作に手間を要する。そのため、このような構成の薬液供給装置では、薬液の移送作業に手間を要し易かった。
【００１０】
そこで、この発明では、小型化し易く、また、内部に流動性物質が滞留したり残留し難い逆止弁を提供することを課題とする。また、流動性物質の移送作業を行い易い三方弁又は流動性物質移送具を提供することを他の課題とする。
【課題を解決するための手段】
【００１１】
上記課題を解決する請求項１に記載の逆止弁は、中空の収容室と、前記収容室の一方に開設された流入口と、前記収容室の他方に開設された流出口とを備えた弁体ケースと、前記収容室内の前記流入口と前記流出口との間に移動可能に収容された弁体移動子とを備え、前記流入口側から前記流出口側への一方向のみの流動性物質の流動を許容する逆止弁であり、前記弁体移動子には、前記流入口側の表面と前記流出口側の表面とを連通する貫通流路が設けられ、前記収容室の前記流入口側の内壁面には、前記弁体移動子の前記貫通流路に密着状態で当接可能な閉塞面が設けられ、前記弁体移動子の前記流入口側の表面が前記収容室の前記閉塞面に当接することで、前記貫通流路が閉塞されることを特徴とする。
【００１２】
請求項２に記載の逆止弁は、請求項１に記載の構成に加え、前記弁体移動子は板状体からなり、前記収容室の内壁面には前記板状体の周縁が摺動可能な側周面を備え、前記弁体移動子が前記側周面に案内されて移動可能であることを特徴とする。
【００１３】
請求項３に記載の逆止弁は、請求項１又は２に記載の構成に加え、前記閉塞面は、前記収容室の前記流入口側の内壁面の端部に平面に形成され、前記流入口は前記収容室の端部の中央に開設されていることを特徴とする。
【００１４】
請求項４に記載の逆止弁は、請求項１乃至３の何れか一つに記載の構成に加え、前記貫通流路は、前記弁体移動子の移動方向に対して傾斜して設けられていることを特徴とする。
【００１５】
請求項５に記載の逆止弁は、請求項４に記載の構成に加え、前記貫通流路を複数有し、前記各貫通流路は、前記弁体移動子の移動方向に平行な中心軸回りに、同一方向に傾斜していることを特徴とする。
【００１６】
請求項６に記載の逆止弁は、請求項１乃至５の何れか一つに記載の構成に加え、前記収容室の前記流出口側には、前記弁体移動子の前記流出側の表面が当接可能な段差部と、該段差部と前記流出口との間に、前記流動性物質が流動可能に形成された流動空間とを備え、前記弁体移動子が前記段差部に当接した状態で、前記貫通流路が前記流動空間と連通することを特徴とする。
【００１７】
請求項７に記載の三方弁は、３つの分岐流路が１箇所の合流部で合流する三方弁であり、前記３つの分岐流路のうちの２つの分岐流路に請求項１乃至６の何れか一つに記載の逆止弁をそれぞれ備え、前記２つの分岐流路のうちの一方には、前記逆止弁の前記流出口が前記合流部側に配置され、前記２つの分岐流路のうちの他方には、前記逆止弁の前記流入口が前記合流部側に配置されていることを特徴とする。
【００１８】
請求項８に記載の流動性物質移送具は、請求項７に記載の三方弁を備え、前記３つの分岐流路のうち、前記逆止弁が設けられていない前記分岐流路に加圧減圧手段が接続されていることを特徴とする。
【００１９】
請求項９に記載の流動性物質移送具は、請求項８に記載の構成に加え、前記流動性物質は、栄養組成物であることを特徴とする。
【発明の効果】
【００２０】
請求項１に記載の逆止弁によれば、弁体移動子に流入口側の表面と流出口側の表面とを連通する貫通流路が設けられ、収容室の流入口側の内壁面に弁体移動子の貫通流路に密着状態で当接可能な閉塞面が設けられ、弁体移動子の流入口側の表面が収容室の閉塞面に当接することで貫通流路が閉塞されるように構成されているので、流入口側より流出口側の圧力を低くすれば、弁体移動子が移動して流入口側の表面が閉塞面から離間し、弁体移動子の貫通流路が開放され、流動性物質が貫通流路を通して流入口側から流出口側へ流動する。一方、流入口側より流出口側の圧力を高くすれば、弁体移動子が移動して流入口側の表面が閉塞面に当接し、弁体移動子の貫通流路が閉塞され、流動性物質が貫通流路を通して流出口側から流入口側へ流動することを阻止する。
【００２１】
そのため、弁体ケースの収容室に弁体移動子を移動可能に収容するだけで、流動性物質の一方向の流動を許容し、他方向の流動を阻止でき、弁体移動子を支持する構造や付勢する構造等が不要である。それ故、構成を極めて簡単にできて小型化し易い上、弁体ケースの内部の接液部分を単純な形状に形成し易く、弁体ケース内部に滞留したり残留する流動性物質を少なく抑えることが可能である。
【００２２】
請求項２に記載の逆止弁によれば、弁体移動子が板状体からなり、弁体移動子の周縁が収容室の側周面に摺動して案内されることで移動可能に構成されているので、弁体移動子の厚さと収容室の長さとを小さく抑え易く、確実な動作を確保しつつ、逆止弁を小型化し易い。
【００２３】
請求項３に記載の逆止弁によれば、閉塞面が収容室の流入口側の内壁面の端部に平面に形成されているので、収容室の流入口側の無駄な空間を省くことができて、より小型化し易い上、流入口が収容室の端部の中央に開設されているので、流入口から流入する流動性物質を弁体移動子の中央に衝突させることができ、収容室内で弁体移動子を円滑に移動させ易く、確実な動作を確保し易い。
【００２４】
請求項４に記載の逆止弁によれば、貫通流路が弁体移動子の移動方向に対して傾斜して設けられているので、弁体移動子が収容室内で回転し難い状態で流動性物質が貫通流路を通過することで、流動抵抗により弁体移動子を開放側へ移動させることができる。そのため、弁体移動子の開閉動作をより確実に確保し易い。また、貫通流路を通過して収容室内を流動する流動性物質の流れを乱流にし易く、収容室の内壁面への流動性物質の成分の付着などを少なく抑え易い。
【００２５】
請求項５に記載の逆止弁によれば、複数の貫通流路が弁体移動子の移動方向に平行な中心軸回りに同一方向に傾斜しているので、弁体移動子が収容室内で回転し難いことにより、貫通流路を通過して収容室内を流動する流動性物質の流れを渦状の流れにでき、収容室の内壁面への流動性物質の成分の付着などをより少なく抑え易い。
【００２６】
請求項６に記載の逆止弁によれば、収容室の流出口側に、段差部と、この段差部と流出口との間に流動性物質が流動可能に形成された流動空間とを備え、弁体移動子が段差部に当接した状態で、貫通流路が流動空間と連通するので、弁体移動子が収容室内で流出口側に最大に移動しても、貫通流路から流出口までの流動性物質の流動経路を確保することができ、簡単な構成で確実な動作を得やすい。
【００２７】
請求項７に記載の三方弁によれば、３つの分岐流路のうちの２つの分岐流路に請求項１乃至５の何れか一つに記載の逆止弁をそれぞれ備え、２つの分岐流路のうちの一方には、逆止弁の流出口が合流部側に配置され、他方には、逆止弁の流入口が合流部側に配置されているので、逆止弁が設けられていない分岐流路の圧力を低下させると、逆止弁の流入口が合流部側に配置されている分岐流路が閉塞されると共に、逆止弁の流出口が合流部側に配置されている分岐流路が開放されて、逆止弁の流出口が合流部側に配置されている分岐流路から逆止弁が設けられていない分岐流路へ流動性物質を流動させることができる。
【００２８】
一方、逆止弁が設けられていない分岐流路側の圧力を上昇させると、逆止弁の流出口が合流部側に配置されている分岐流路が閉塞されると共に、逆止弁の流入口が合流部側に配置されている分岐流路が開放されて、逆止弁が設けられていない分岐流路から逆止弁の流入口が合流部側に配置されている分岐流路へ流動性物質を流動させることができる。そのため、逆止弁が設けられていない分岐流路側に流動性物質を吸引する際と排出する際とで切換操作を行う必要がなく、流動性物質の移送作業を容易に行うことができる。
【００２９】
請求項８及び９に記載の流動性物質移送具によれば、請求項７に記載の三方弁の３つの分岐流路のうち、逆止弁が設けられていない分岐流路に加圧減圧手段が接続されているので、逆止弁が設けられていない分岐流路側を加圧減圧手段により加圧及び減圧することができる。そのため、加圧減圧手段により、逆止弁が設けられていない分岐流路側を減圧して加圧することで、逆止弁の流出口が合流部側に配置されている分岐流路側から流動性物質を吸引して、逆止弁の流入口が合流部側に配置されている分岐流路側に排出することが可能であり、切換操作を行うことなく、流動性物質の移送作業を容易に行うことができる。
【発明を実施するための最良の形態】
【００３０】
以下、この発明の実施の形態について説明する。
［発明の実施の形態１］
【００３１】
図１及び図２は、この発明の実施の形態１の逆止弁を示す。
【００３２】
逆止弁１０は、流動性物質を移送する流路の途中に配設されるもので、略円柱形状に形成された弁体ケース１１と、弁体ケース１１に収容された弁体移動子１３とを備える。移送する流動性物質としては、液体、ゲル、ゾル、これらと固形分との混合物等の非圧縮性の流体が好適である。
【００３３】
弁体ケース１１は、内部に中空の収容室１５を備え、一方には収容室１５に開口した流入口１７、他方には収容室１５に開口した流出口１９を備える。流入口１７及び流出口１９には、それぞれ上流及び下流の流路１６、１８の配管部材が気密に接続されている。
【００３４】
この弁体ケース１１は、嵌合により互いに液密に連結された雄形半体２１と雌形半体２３とからなる。雄形半体２１と雌形半体２３とは、接着、ネジ等、他の方法で連結されていてもよい。雄形半体２１は、流入口１７が開設された端面部２５と、端面部２５の周縁側に環状に突出して形成された雄形嵌合部２７とを備える。雌形半体２３は、流出口１９が開設された端面部３３と、端面部３３の周縁側に環状に突出して形成され、雄形半体２１の雄形嵌合部２７を内側に嵌合可能な雌形嵌合部２８とを備える。雄形半体２１と雌形半体２３とを嵌合することで、内部に収容室１５が形成されている。
【００３５】
収容室１５の内壁面には、両端面部２５、３３間に連続するように、断面形状が一定の円形を呈する一定側周面２９が形成されている。一定側周面２９は、雄形半体２１の雄形嵌合部２７の内周面と雌形半体２３の内周面とからなる。一定側周面２９の長さは、少なくとも弁体移動子１３の厚さより長く設けられている。
【００３６】
収容室１５の一方の端部となる雄形半体２１の端面部２５には、一定側周面２９の端部と隣接して直交する平面からなる閉塞面３１が設けられ、この閉塞面３１の中央に流入口１７が開設されている。この閉塞面３１は、後述するように、弁体移動子１３の流入口１７側の表面４３が当接可能な面となっている。
【００３７】
収容室１５の他方の端部となる雌形半体２３の端面部３３には、一定側周面２９の端部と隣接して段差部３７が設けられ、雄形半体２１の端面部２５の流入口１７と同軸に対向するように流出口１９が開設され、更に、段差部３７と流出口１９との間に一定側周面２９より縮径した流動空間３９が設けられている。
【００３８】
次に、弁体移動子１３は、収容室１５内に収容された板状体からなり、弁体ケース１１の一定側周面２９の断面形状に対応した円板状に形成されている。この弁体移動子１３は収容室１５内で移動できることが必要である。ここでは、弁体移動子１３の周縁と一定側周面２９との間の間隙が出来るだけ少なく形成され、弁体移動子１３の周縁が収容室１５の一定側周面２９上で摺動することにより、弁体移動子１３が一定側周面２９に案内されて平行移動可能となっている。
【００３９】
この弁体移動子１３では、図１及び図２に示すように、弁体移動子１３が流入口１７側に移動した状態で、流入口１７側の表面４３が弁体ケース１１の閉塞面３１と密着状態で当接可能となっている。
【００４０】
また、この弁体移動子１３には、表面４３の閉塞面３１と対向する部位に開口して、流入口１７側の表面４３と流出口１９側の表面４４とを連通する貫通孔からなる４個の貫通流路１４が設けられている。貫通流路１４の流入口１７側の表面４３における開口部４１は、表面４３が閉塞面３１に密着して当接することで閉塞され、これにより貫通流路１４が閉塞されるようになっている。
【００４１】
貫通流路１４は、一定側周面２９及び弁体移動子１３の中心軸Ｌに対して傾斜して設けられており、各貫通流路１４は中心軸Ｌ回りに、同一方向に傾斜している。各貫通流路１４が同一角度で傾斜していることが好適である。
【００４２】
このような構成を有する逆止弁１０では、上流の流路１６及び流入口１７側を加圧したり、下流の流路１８及び流出口１９側を減圧することで、流入口１７側より流出口１９側の圧力が低くなると、流動性物質が上流の流路１６から逆止弁１０の流入口１７に供給され、弁体移動子１３が一定側周面２９に案内されて流出口１９側へ移動し、流入口１７側の表面４３が閉塞面３１から離間し、流入口１７が収容室１５内に開口し、同時に、弁体移動子１３の貫通流路１４が開放される。
【００４３】
圧力差が大きい場合、弁体移動子１３は一定側周面２９に案内されて最大量移動し、弁体移動子１３の流出口１９側の表面４４が段差部３７に当接する。この移動量は適宜選択でき、例えば、栄養組成物のような場合、粘性等に基づいて１ｍｍ程度としてもよい。なお、弁体移動子１３が段差部３７に当接した状態では、弁体移動子１３の各貫通流路１４の流出口１９側表面の開口部４２が流動空間３９に開口した状態となる。
【００４４】
流動性物質は、開口された流入口１７から収容室１５の弁体移動子１３より流入口１７側に流入する。弁体移動子１３の周縁と一定側周面２９との間の間隙が出来るだけ少なく形成されているため、収容室１５内に流入した流動性物質は、貫通流路１４により弁体移動子１３を貫通し、流動空間３９まで流動し、その後、流出口１９から下流の流路１８へ流出する。
【００４５】
一方、上流の流路１６及び流入口１７側を減圧したり、下流の流路１８及び流出口１９側を加圧することで、流入口１７側より流出口１９側の圧力が高くなると、弁体移動子１３が一定側周面２９に案内されて流入口１７側へ移動し、流入口１７側の表面４３が閉塞面３１に当接して密着する。すると、流入口１７が弁体移動子１３の表面４３により閉塞されると共に、弁体移動子１３の貫通流路１４の開口部４１が閉塞面３１により閉塞される。そのため、流動性物質が逆止弁１０の収容室１５内で流動することができず、流出口１９側から流入口１７側へ流動性物質が流動することが阻止される。
【００４６】
その結果、この逆止弁１０では、流動性物質が流入口１７側から流出口１９側へ流動することを許容し、流出口１９側から流入口１７側へ流動することを阻止することができる。
【００４７】
以上のような逆止弁１０によれば、弁体移動子１３に流入口１７側の表面４３と流出口１９側の表面４４とを連通する貫通流路１４が設けられ、収容室１５の流入口１７側の内壁面に弁体移動子１３の貫通流路１４に密着状態で当接可能な閉塞面３１が設けられ、弁体移動子１３の流入口１７側の表面４３が収容室１５の閉塞面３１に当接することで貫通流路１４が閉塞されるように構成されているので、流入口１７側より流出口１９側の圧力を低くすれば、弁体移動子１３が移動して流入口１７側の表面４３が閉塞面３１から離間し、弁体移動子１３の貫通流路１４が開放され、流動性物質が貫通流路１４を通して流入口１７側から流出口１９側へ流動する。一方、流入口１７側より流出口１９側の圧力を高くすれば、弁体移動子１３が移動して流入口１７側の表面４３が閉塞面３１に当接し、弁体移動子１３の貫通流路１４が閉塞され、流動性物質が貫通流路１４を通して流出口１９側から流入口１７側へ流動することを阻止する。
【００４８】
そのため、弁体ケース１１の収容室１５に弁体移動子１３を移動可能に収容するだけで、流動性物質を一方向に流動させることができ、弁体移動子１３を支持する構造や付勢する構造等が不要である。それ故、構成を極めて簡単にできて小型化し易い。また、弁体ケース１１の内部の接液部分に凹凸形状が形成され難いため単純な形状に形成でき、弁体ケース１１内部に滞留したり残留する流動性物質を少なく抑えることが可能である。
【００４９】
また、弁体移動子１３が板状体からなり、弁体移動子１３の周縁が収容室１５の一定側周面２９に摺動して案内されることで移動可能に構成されているので、弁体移動子１３の厚さと収容室１５の長さとを小さく抑え易く、確実な動作を確保しつつ、逆止弁１０を小型化し易い。
【００５０】
更に、閉塞面３１が収容室１５の流入口１７側の端部に平面に形成されているので、収容室１５の流入口１７側の無駄な空間を省くことができて、より小型化し易い上、流入口１７が収容室１５の端部の中央に開設されているので、流入口１７から流入する流動性物質を弁体移動子１３の中央に衝突させることができ、収容室１５内で弁体移動子１３を円滑に平行移動させ易く、確実な動作を確保し易い。
【００５１】
また、貫通流路１４が弁体移動子１３の移動方向に対して傾斜して設けられているので、流動性物質が貫通流路１４を通過することで、流動抵抗により弁体移動子１３を開放側へ移動させることができる。そのため、弁体移動子１３の開閉動作をより確実に確保し易い。また、貫通流路１４を通過して収容室１５内を流動する流動性物質の流れを乱流にし易く、収容室１５の内壁面への流動性物質の成分の付着などを少なく抑え易い。
【００５２】
更に、複数の貫通流路１４が弁体移動子１３の移動方向に平行な中心軸回りに同一方向に傾斜しているので、弁体移動子１３が収容室１５内で一定側周面２９と接して回転し難いことにより、貫通流路１４を通過して収容室１５内を流動する流動性物質の流れを渦状の流れにでき、収容室１５の内壁面への流動性物質の成分の付着などをより少なく抑え易い。
【００５３】
また、収容室１５の流出口１９側に、段差部３７と、この段差部３７と流出口１９との間に形成された流動空間３９とを備え、弁体移動子１３が段差部３７に当接した状態で、貫通流路１４が流動空間３９と連通するので、弁体移動子１３が収容室１５内で流出口１９側に最大に移動しても、貫通流路１４から流出口１９までの流動性物質の流動経路を確保することができる。
【００５４】
しかも、このような流動空間３９内を流動する流動性物質の流れが渦状の流れとなっているため、流動空間３９の内表面への流動性物質の成分の付着等をより確実に防止することが可能である。
【００５５】
なお、上記発明の実施の形態１は、この発明の範囲内において適宜変更可能である。
【００５６】
例えば、上記では、弁体移動子１３として、４個の貫通孔からなる貫通流路１４を備えた例について説明したが、貫通流路１４の数は適宜選択可能であり、図３（ａ）に示すように４個より多く設けてもよく、図３（ｂ）のように４個より少なく設けてもよい。
【００５７】
また、この貫通流路１４は、例えば、図４（ａ）（ｂ）に示すように、傾斜することなく中心軸と平行に貫通して設けることも可能である。
【００５８】
更に、貫通流路１４は、貫通孔に限るものではなく、例えば、図５（ａ）（ｂ）に示すように、弁体移動子１３を貫通する括れ部４５により形成することも可能である。
［発明の実施の形態２］
【００５９】
図６及び図７は、発明の実施の形態２の流動性物質移送具及びこの流動性物質移送具に用いる三方弁を示す。
【００６０】
この発明の実施の形態２の流動性物質移送具６０は、収容容器８０に収容されている液体、ゲル、ゾル、これらと固形分との混合物等の栄養組成物からなる流動性物質を、例えば患者に留置された図示しないカテーテルの投与部位に移送することで、患者に投与するものである。
【００６１】
この流動性物質移送具６０は、第１乃至第３の分岐流路５２、５５、５７が合流部５１で合流する三方弁５０と、三方弁５０の第１の分岐流路５２に接続された加圧減圧手段としてのシリンジ７０と、第２の分岐流路５５に設けられて、収容容器８０の排出部８３と連結可能な容器連結部５６と、第３の分岐流路５９に設けられたカテーテルとの接続部６３とを備えている。
【００６２】
そして、図７に示すように、三方弁５０の第２及び第３の分岐流路５５、５９には、発明の実施の形態１の逆止弁１０がそれぞれ備えられている。第２の分岐流路５５には、合流部５１側に流出口１９が配向するように逆止弁１０が配置され、第３の分岐流路５９には、合流部５１側に流入口１７が配向するように逆止弁１０が配置されている。
【００６３】
また、シリンジ７０は、一方に吐出部７３を有する外筒７５と、外筒７５内に先端側が配置されたプランジャ７７と、プランジャ７７の先端に装着されて外筒７５の内壁面に気密に密着して摺動可能なガスケット７９とを備える。吐出部７３は第１の分岐流路５２の端部開口５３に気密に接続されており、プランジャ７７を引き上げることで、第１の分岐流路５２側を減圧することができ、プランジャ７７を押圧することで第１の分岐流路５２を加圧することが可能となっている。
【００６４】
なお、収容容器８０は、流動性物質が収容された容器であれば特に限定されないが、ここでは、樹脂製の可撓性容器からなり、一方の端部に流動性物質移送具６０の容器連結部５６を液密に連結可能な排出部８３が設けられている。
【００６５】
以上のような流動性物質移送具６０に用いた三方弁５０によれば、第１乃至第３の分岐流路５２、５５、５９のうち、第２の分岐流路５５には、合流部５１側に流出口１９が配向するように逆止弁１０が配置され、第３の分岐流路５９には、合流部５１側に流入口１７が配向するように逆止弁１０が配置されているので、第１の分岐流路５２側の圧力を低下させると、第３の分岐流路５９が閉塞されて、第２の分岐流路５５から第１の分岐流路５２に流動性物質が流動される。一方、第１の分岐流路５２側の圧力を上昇させると、第２の分岐流路５５が閉塞されて、第１の分岐流路５２から第３の分岐流路５９に流動性物質が流動される。そのため、第１の分岐流路５２側に流動性物質を吸引する際と、第１の分岐流路５２側から流動性物質を排出する際とで切換操作を行う必要がなく、流動性物質の移送作業を容易に行うことができる。
【００６６】
そして、このような流動性物質移送具６０によれば、前記のような三方弁５０の第１の分岐流路５２にシリンジ７０が接続されているので、第１の分岐流路５２側をシリンジ７０により加圧及び減圧することができる。そのため、シリンジ７０により、第１の分岐流路５２側を減圧して加圧するだけで、第２の分岐流路５５側から流動性物質を吸引して、第３の分岐流路５９側に排出することが可能であり、切換操作を行うことなく、流動性物質の移送作業を容易に行うことができる。
【図面の簡単な説明】
【００６７】
【図１】この発明の実施の形態１の逆止弁を示す断面図であり、（ａ）は貫通流路の閉塞時を示し、（ｂ）は開放時を示す。
【図２】この発明の実施の形態１の弁体移動子を示し、（ａ）は平面図、（ｂ）はＡ−Ａ断面図である。
【図３】（ａ）、（ｂ）はそれぞれ発明の実施の形態１の弁体移動子の変形例を示す。
【図４】この発明の実施の形態１の弁体移動子の他の変形例を示し、（ａ）は平面図、（ｂ）はＢ−Ｂ断面図である。
【図５】この発明の実施の形態１の弁体移動子の更に他の変形例を示し、（ａ）は平面図、（ｂ）はＣ−Ｃ断面図である。
【図６】この発明の実施の形態２の流動性物質移送具を示す図である。
【図７】この発明の実施の形態２の流動性物質移送具の３方弁を示す断面図である。
【符号の説明】
【００６８】
１０  逆止弁
１１  弁体ケース
１３  弁体移動子
１４  貫通流路
１５  収容室
１７  流入口
１９  流出口
２１  雄形半体
２３  雌形半体
２９  一定側周面
３１  閉塞面
４３、４４  表面
５０  三方弁
６０  流動性物質移送具
７０  シリンジ
８０  収容容器
【図１】
2009281492.tif 000003
【図２】
2009281492.tif 000004
【図３】
2009281492.tif 000005
【図４】
2009281492.tif 000006
【図５】
2009281492.tif 000007
【図６】
2009281492.tif 000008
【図７】
2009281492.tif 000009